(57)【要約】【課題】乾燥運転開始時において、空気の加熱を行なう前に、浴室内の換気を行ことによって湿度を低くし、余分な熱量を空気中の水蒸気に与えないことで、エネルギー効率の良い浴室暖房乾燥機を提供する。【解決手段】乾燥運転開始時に所定の相対湿度よりも高い場合は、加熱手段は停止状態としたまま、循環手段および換気手段を始動し浴室の換気を行い、所定の相対湿度よりも低い場合は、加熱手段および循環手段および換気手段を始動し浴室の加熱を開始することで、浴室が高湿度な状態にある場合には、乾燥運転の開始時において、加熱を行わず、換気のみを行う。【選択図】図２
2012163293.tif 000002
【特許請求の範囲】
【請求項１】
浴室空気吸込み口と、浴室内吹出し口および浴室外排気口を有する本体ケースと、
この本体ケース内の前記浴室空気吸い込み口と前記浴室内吹出し口を結ぶ風路に設けられるとともに、
前記浴室空気吸い込み口から取り込んだ空気を浴室内に戻し浴室内の空気を循環させる循環手段、
前記浴室空気吸い込み口から取り込んだ空気を加熱する加熱手段、
前記浴室空気吸い込み口から取り込んだ空気の温度を検知する温度検知手段、および
前記浴室空気吸い込み口から取り込んだ空気の湿度を検出する湿度検出手段と、
前記本体ケース内の前記浴室空気吸込み口と前記浴室外排気口を結ぶ風路に設けられるとともに、前記浴室空気吸い込み口から取り込んだ空気を浴室外へ排気する換気手段と、
前記温度検知手段または前記湿度検出手段の値によって、前記循環手段および前記換気手段および前記加熱手段を制御し乾燥運転を行う制御手段を備え、
前記制御手段は、乾燥運転開始時に所定の相対湿度以上の場合は、前記加熱手段は停止状態としたまま、前記循環手段および前記換気手段を始動し前記浴室の換気を行い、所定の相対湿度よりも低い場合は、前記加熱手段および前記循環手段および前記換気手段を始動し浴室の加熱を開始することを特徴とする、
浴室暖房乾燥機。
【請求項２】
乾燥運転開始時に、前記湿度検出手段によって検出した湿度が、所定の相対湿度以上の場合において、
前記加熱手段は停止状態としたまま、前記循環手段および前記換気手段を始動すると同時に、第１設定時間の測定を開始させ、
前記湿度検出手段が検出する相対湿度の変化量の値が第１相対湿度変化量よりも小さくなるか、もしくは測定時間が前記第１設定時間を経過した場合、前記加熱手段を始動することを特徴とする、
請求項１に記載の浴室暖房乾燥機。
【請求項３】
乾燥運転開始時に所定の相対湿度よりも低い場合、または前記湿度検出手段が検出する湿度変化量の値が前記第１相対湿度変化量よりも小さくなるか、もしくは測定時間が前記第１設定時間を経過した場合において、前記制御手段は、前記温度検知手段が検知する温度の値によって、前記換気手段の出力を制御することを特徴とする、
請求項１または２に記載の浴室暖房乾燥機。
【請求項４】
前記加熱手段を始動させるとともに、
前記温度検知手段が検知する温度が、第１設定温度よりも高ければ第１出力で前記換気手段を動作させ、前記第１設定温度以下で、第２設定温度よりも高ければ、前記第１出力よりも小さい第２出力で前記換気手段を動作させ、第２設定温度以下であれば前記換気手段を停止させて、浴室内の温度を上げることを特徴とする、
請求項３に記載の浴室暖房乾燥機。
【請求項５】
前記温度検知手段が前記第１設定温度よりも高い温度を検知した後において、
前記湿度検出手段が検出する相対湿度の変化量によって、前記換気手段の出力を制御し、乾燥運転を行うことを特徴とする、
請求項４に記載の浴室暖房乾燥機。
【請求項６】
前記湿度検出手段が検出する相対湿度の変化量が、第２相対湿度変化量よりも大きければ前記第１出力で前記換気手段を動作させ、前記第２相対湿度変化量以下であれば前記第２出力で前記換気手段を動作させて、乾燥運転を行うことを特徴とする、
請求項５に記載の浴室暖房乾燥機。
【請求項７】
前記制御手段は、操作手段と表示手段を有するリモコンを備え、
前記リモコンは、浴室外に取り付けられていることを特徴とする、
請求項１〜６のいずれか１項に記載の浴室暖房乾燥機。
【請求項８】
前記表示手段は、前記温度検知手段が検知する温度、および前記湿度検出手段が検出する湿度、および乾燥運転時間もしくは乾燥運転残り時間を表示することを特徴とする、
請求項７に記載の浴室暖房乾燥機。
【請求項９】
前記操作手段によって、乾燥運転時間を使用者が設定し、設定された時間の経過後に乾燥運転を終了することを特徴とする、
請求項７または８に記載の浴室暖房乾燥機。
【請求項１０】
前記制御手段により、リモコンの表示手段に、加熱手段と、換気手段の動作モードを表示させる構成とした請求項１〜９のいずれか一つに記載の浴室暖房乾燥機。
【発明の詳細な説明】
【技術分野】
【０００１】
本発明は、浴室と、浴室に干した衣類等を乾燥させる浴室暖房乾燥機に関する。
【背景技術】
【０００２】
近年、天候や空気汚染といった、屋外の影響を受けずに洗濯物を乾かすために、浴室において洗濯物を乾燥させる、浴室暖房乾燥機が普及している。
【０００３】
このような浴室暖房乾燥機の一例としては、浴室内の空気と浴室内に取り込む空気の温度と湿度をセンサーにより測定し、浴室内に取り込む空気の温度と湿度を考慮しながら、換気手段による換気量を制御し、加熱手段および循環手段によって浴室内を暖め、衣類を乾燥させる浴室暖房乾燥機などがある（例えば、特許文献１）。
【先行技術文献】
【特許文献】
【０００４】
【特許文献１】特開平１０−２２５５９８号公報
【発明の概要】
【発明が解決しようとする課題】
【０００５】
このような従来の浴室暖房乾燥機においては、乾燥運転開始時から換気手段、加熱手段および循環手段を始動させ、室内の換気と温めを同時に開始していた。
【０００６】
しかしながら、入浴後および浴室の掃除後などは、浴室内の湿度が高い状態となっている。このような状態において、運転開始時から換気手段、加熱手段および循環手段を始動させると、浴室内の温度をあげるためには、空気と、それに含まれる水蒸気の両方を加熱する必要がある。従って、水蒸気に与える熱量が余分に必要となってしまい、非効率である。
【０００７】
そこで本発明は、運転開始時には加熱手段を停止し浴室内の空気の加熱を行わず、換気手段によって湿度を所定の相対湿度よりも低くした後に、加熱手段により浴室内の空気を加熱することで、エネルギー効率の向上を目的とするものである。
【課題を解決するための手段】
【０００８】
上記課題を解決するため、本発明は浴室空気吸込み口と、浴室内吹出し口および浴室外排気口を有する本体ケースと、本体ケース内の浴室空気吸い込み口と浴室内吹出し口を結ぶ風路に設けられるとともに、浴室空気吸込み口から取り込んだ空気を浴室内に戻し浴室内の空気を循環させる循環手段、浴室空気吸込み口から取り込んだ空気を加熱する加熱手段、浴室空気吸込み口から取り込んだ空気の温度を検知する温度検知手段、および浴室空気吸込み口から取り込んだ空気の湿度を検出する湿度検出手段と、この本体ケース内の浴室空気吸込み口と浴室外排気口を結ぶ風路に設けられるとともに、取り込んだ空気を浴室外へ排気する換気手段と、温度検知手段または湿度検出手段の値によって、循環手段および換気手段および加熱手段を制御し乾燥運転を行う制御手段を備え、制御手段は、乾燥運転開始時に所定の相対湿度よりも高い場合は、加熱手段は停止状態としたまま、循環手段および換気手段を始動し浴室の換気を行い、所定の相対湿度以下の場合は、加熱手段および循環手段および換気手段を始動し浴室の加熱を開始することで、浴室が高湿度な状態にある場合には、乾燥運転の開始時において、加熱を行わず、換気のみを行うものである。
【発明の効果】
【０００９】
以上のように本発明は、乾燥運転の開始時に、所定の相対湿度よりも高い場合は、加熱手段は停止状態としたまま、循環手段および換気手段を始動して浴室の換気を行い、浴室内の空気の湿度を換気運転のみによって低くした後に、加熱手段により浴室内の空気の加熱を行うため、高湿度状態において、空気に含まれた水蒸気に余分な熱量を与える必要がなく、エネルギー効率を向上させるものである。
【図面の簡単な説明】
【００１０】
【図１】本発明に係る浴室暖房乾燥機が備え付けられた浴室の鳥瞰図
【図２】本発明に係る浴室暖房乾燥機の構成図
【図３】実施の形態１における、立ち上げ運転の前半の動作を表すフローの図
【図４】実施の形態１における、立ち上げ運転の後半の動作を表すフローの図
【図５】実施の形態２における、制御装置と制御装置によって制御される機器との関連図
【発明を実施するための形態】
【００１１】
以下、本発明の実施の形態について、図面を参照しながら説明する。
【００１２】
（実施の形態１）
図１は、本発明を実施する浴室１の一例であり、浴室１の天井面２上に浴室暖房乾燥機３が設置され、浴室１に備え付けられたドアガラリには、浴室外の空気を取り込むための外気取り込み口４が設けられている。
【００１３】
図２は浴室暖房乾燥機３の断面図を表している。
【００１４】
図２において、浴室暖房乾燥機３を構成する本体ケース５には、浴室内の空気を取り込む浴室空気吸込み口６と、取り込んだ空気を浴室内に吹き出す浴室空気吹出し口７と、浴室外へ排気する浴室外排気口８とが設けられている。
【００１５】
また、浴室空気吸込み口６と浴室空気吹出し口７とを結ぶ風路には、浴室空気吸込み口６から取り込んだ空気を浴室空気吹出し口７から吹出し、浴室内の空気を循環させる循環手段９と、取り込んだ空気を加熱する加熱手段１０、および取り込んだ空気の温度を測定する温度検知手段１１と、湿度を測定する湿度検出手段１２を設けている。
【００１６】
また、浴室空気吸込み口６と浴室外排気口８を結ぶ風路には、取り込んだ空気を浴室外へ排気する換気手段１３が設けられている。
【００１７】
これら、循環手段９と加熱手段１０および換気手段１３は、制御手段１４に制御される。
【００１８】
以上の構成において、本実施形態における浴室暖房乾燥機３の基本動作を以下に説明する。
【００１９】
本実施形態における浴室暖房乾燥機３の基本動作は、乾燥運転が開始後の、浴室１内の空気を適切な湿度、温度とするための、立ち上げ運転と、立ち上げ運転によって、浴室１内の空気を適切な湿度、温度とした後の、定常時の乾燥運転との、大きく２つに分けられる。
【００２０】
図３は本実施形態における、浴室暖房乾燥機３の立ち上げ運転の前半のフローを示している。以降で、制御手段１４による乾燥運転の制御を、図３を用いて説明する。
【００２１】
まず、洗濯後の水分を含んだ洗濯物などを浴室１内に干し、浴室暖房乾燥機３の乾燥運転を開始すると、循環手段９と換気手段１３が始動し、ともに風量ＳＨ（例えば最大出力）で浴室内の空気の攪拌を行う（Ｓ１）。
【００２２】
これによって、浴室１内の空気の温度と湿度を正確に測定することができる。
【００２３】
また浴室暖房乾燥機３内には前回使用した際の空気が残っている場合にも、浴室暖房乾燥機３内の空気を排気することでより正確に測定することができる。
【００２４】
循環手段９と換気手段１３が、ともに風量ＳＨで浴室内の空気を攪拌する運転を、Ｔ１分（例えば１分）行った後（Ｓ２）、湿度検出手段１２によって、浴室内の相対湿度を測定する（Ｓ３）。
【００２５】
湿度検出手段１２が測定した相対湿度が、相対湿度Ｈ１％（例えば８０％）よりも低い場合は次の動作（Ａ）へ移行する。
【００２６】
しかし、湿度検出手段１２が測定した相対湿度が、相対湿度Ｈ１％以上の場合、つまり浴室内の空気が高湿度の場合は、加熱手段１０を停止させたまま、時間の測定を開始する（Ｓ４）とともに、循環手段９と換気手段１３によって風量Ｈ（最大出力よりも小さい出力）で換気運転を行う（Ｓ５）。
【００２７】
測定時間がｔ１分（例えば１５分）を経過するまでの間、ｔ２秒ごと（例えば３０秒ごと）に湿度検出手段１２によって、浴室内の相対湿度の変化量を測定し（Ｓ６）、ｔ２秒当たりの相対湿度の変化量が、Δｈ１％（例えば５％）よりも小さければ、換気運転のみによる、湿度を下げるための運転は十分であると判断し（Ｓ７）、次の動作へ移行する（Ａ）。
【００２８】
このとき、湿度検出手段１２が結露している場合は、測定値が８０％以上で固定されてしまうため、湿度検出手段１２の結露の有無を、相対湿度Ｈ１％（例えば８０％）よりも低いかどうか判断している。
【００２９】
また、ｔ２秒当たりの相対湿度の変化量が、Δｈ１％以上の場合であっても、測定時間がｔ１分（例えば１５分）を経過すると（Ｓ８）、次の動作へ移行する（Ａ）。
【００３０】
ｔ１分という期限を設けることによって、湿度検出手段１２が結露しているために、測定する湿度の値に誤差があり、ｔ２秒当たりの相対湿度の変化量が、Δｈ１％よりも小さくならない場合であっても、次の動作へ移行することができる。
【００３１】
以上、Ｓ１〜Ｓ８の動作のように、乾燥運転の開始時に、所定の相対湿度Ｈ１％以上の場合は、加熱手段１０は停止状態としたまま、循環手段９および換気手段１３を始動して浴室の換気を行い、換気運転のみにより浴室内の空気の湿度を低くした後に、次の動作に移行するため、高湿度状態において、空気に含まれた水蒸気に余分な熱量を与える必要がなく、エネルギー効率を向上させることができる。
【００３２】
図４は、本実施形態における浴室暖房乾燥機３の、立ち上げ運転の後半のフローを示している。
【００３３】
（Ｓ９）において、温度検知手段１１が測定する温度が、Ｘ１℃（例えば２５℃）よりも高ければ、定常の乾燥運転を行なう浴室１内の空気の温度として、十分であると判断し（Ｓ９）、加熱手段１０を始動させるとともに、循環手段９と換気手段１３を風量Ｈとして、定常の乾燥運転へ移行する（Ｓ９１、Ｓ９２）。
【００３４】
また、温度検知手段１１が測定する温度がＸ１℃以下である場合は、浴室１内の空気の温度が低くなっているので、換気手段１３の出力を弱め、浴室１内の空気の温度上昇を優先させる。
【００３５】
つまり、（Ｓ１０）において、温度検知手段１１が測定する温度が、Ｘ２℃（例えば１５℃）よりも高く、Ｘ１℃以下であれば、加熱手段１０を始動させるとともに、循環手段９を風量Ｈ、換気手段１３を風量Ｌ（風量Ｈの出力よりも弱い出力）とする（Ｓ９３）。
【００３６】
また、（Ｓ１０）において、温度検知手段１１が測定する温度が、Ｘ２℃以下であれば、加熱手段１０を始動させるとともに、循環手段９を風量Ｈ、換気手段１３を停止状態とすることで、浴室１内の空気の温度上昇を優先させる（Ｓ９４）。
【００３７】
このようにして、浴室１内の空気の温度が低い場合であっても、排気手段１３の出力を弱め、浴室１内の空気の温度を上昇させ、Ｘ１℃よりも高くなると、加熱手段１０を始動させるとともに、循環手段９と換気手段１３を風量Ｈとして、定常の乾燥運転へ移行する。
【００３８】
なお、前記制御手段１４により、図５のリモコン１７の表示手段１５に、循環手段９と、加熱手段１０と、換気手段１３の動作モードを表示させる構成としている。
【００３９】
（実施の形態２）
実施の形態２では、図５に示すように、浴室暖房乾燥機３は、実施の形態１の構成に加えて、制御手段１４の一部に、表示手段１５と操作手段１６を有するリモコン１７を備え、リモコン１７は、浴室１外に取り付けられている点で異なる。
【００４０】
リモコン１７が、浴室１外に取り付けられているため、使用者は浴室１外から、浴室暖房乾燥機３の乾燥運転の時間を選択することができる。
【００４１】
乾燥運転の時間とは、浴室暖房乾燥機３の乾燥運転が開始されてから、立ち上げ運転を経た後に定常の乾燥運転へ移行し、終了するまでの時間である。
【００４２】
なお、乾燥運転の時間は、あらかじめ制御手段１４に設定されている複数の時間から選択するようにするとよい。さらに、設定された時間、または乾燥運転の経過時間、または乾燥運転の残り時間を表示するとよい。
【００４３】
また、表示手段１５には、温度検知手段１１と湿度検出手段１２が測定した、温度と湿度が表示され、使用者が浴室１外から確認できるようになっている。
【００４４】
このように、リモコン１７を浴室１外に取り付けることで、使用者が浴室１外において、乾燥運転の時間を操作可能であり、また浴室１の湿度、温度および乾燥運転の時間の情報を得ることが出来る。
【産業上の利用可能性】
【００４５】
本発明における浴室暖房乾燥機は、エネルギー効率がよく、家庭などにおいて省エネルギーで洗濯物を浴室で干して乾燥させることが可能である。
【符号の説明】
【００４６】
１    浴室
２    天井面
３    浴室暖房乾燥機
４    外気取り込み口
５    本体ケース
６    浴室空気吸込み口
７    浴室空気吹出し口
８    浴室外排気口
９    循環手段
１０  加熱手段
１１  温度検知手段
１２  湿度検出手段
１３  換気手段
１４  制御手段
１５  表示手段
１６  操作手段
１７  リモコン
【図１】
2012163293.tif 000003
【図２】
2012163293.tif 000004
【図３】
2012163293.tif 000005
【図４】
2012163293.tif 000006
【図５】
2012163293.tif 000007